(57)【要約】  本発明は、グラウティング固定アッセンブリ（１）であって、アンカスリーブ（５，５ａ）とアンカロッド（６，６ａ）とが設けられており、アンカスリーブ（５，５ａ）が、該アンカスリーブ（５，５ａ）内にグラウティングされたモルタルの流出のための流出開口（１０，１０ａ）を備えたアンカ固定領域（９，９ａ）を有しており、当該グラウティング固定アッセンブリ（１）が、固定したい対象物（２）に対する対抗支承体としてのナット（７）を有している形式のものに関する。プリインサートマウンティングに用いられるこのような形式のグラウティング固定アッセンブリ（１）が知られている。本発明は、アンカスリーブ（５，５ａ）のアンカ固定領域（９，９ａ）に剪断力スリーブ（１１，１１ａ）が続いている、スルーインサートマウンティングに用いられるグラウティング固定アッセンブリ（１）を提案する。
2008502824.tif 000002
【特許請求の範囲】
【請求項１】
グラウティング固定アッセンブリ（１）であって、アンカスリーブ（５，５ａ）とアンカロッド（６，６ａ）とが設けられており、アンカスリーブ（５，５ａ）が、該アンカスリーブ（５，５ａ）内にグラウティングされたモルタルの流出のための流出開口（１０，１０ａ）を備えたアンカ固定領域（９，９ａ）を有しており、当該グラウティング固定アッセンブリ（１）が、固定したい対象物（２）に対する対抗支承体としてのナット（７）を有している形式のものにおいて、アンカスリーブ（５，５ａ）のアンカ固定領域（９，９ａ）に剪断力スリーブ（１１，１１ａ）が続いていることを特徴とする、グラウティング固定アッセンブリ。
【請求項２】
アンカスリーブ（５）の剪断力スリーブ（１１）が、少なくとも１つの目標分離箇所（２１，２２，２３，２４，２５，２６）を有している、請求項１記載のグラウティング固定アッセンブリ。
【請求項３】
剪断力スリーブ（１１）が、アンカ固定領域（９）と反対の側の端部に当接つば（２０）を有している、請求項１記載のグラウティング固定アッセンブリ。
【請求項４】
アンカスリーブ（５）の剪断力スリーブ（１１）が、半径方向内側に向かって旋回可能なストッパ（１３，１４，１５，１６，１７，１８）を有しており、該ストッパ（１３，１４，１５，１６，１７，１８）が、アンカ固定前の状態で半径方向に剪断力スリーブ（１１）を越えて突出している、請求項１記載のグラウティング固定アッセンブリ。
【請求項５】
アンカスリーブ（５ａ）の剪断力スリーブ（１１ａ）が、軸方向に調節可能な当接つば（２０ａ）を有している、請求項１記載のグラウティング固定アッセンブリ。
【請求項６】
アンカロッド（６，６ａ）と剪断力スリーブ（１１，１１ａ）との間に補償スリーブ（３１）が配置されている、請求項１記載のグラウティング固定アッセンブリ。
【請求項７】
補償スリーブ（３１）が、軸方向に延びる曲折箇所（３２）を有している、請求項６記載のグラウティング固定アッセンブリ。
【請求項８】
特に請求項１記載のアンカスリーブ（５，５ａ）と、アンカロッド（６，６ａ）と、固定対象物（２）に対する対抗支承体としてのナット（７）とを用いてグラウティング固定するための方法において、組付けをスルーインサートマウンティングとして行うことを特徴とする、グラウティング固定するための方法。
【発明の詳細な説明】
【技術分野】
【０００１】
本発明は、請求項１の上位概念部の特徴を備えたグラウティング固定アッセンブリならびに請求項８の上位概念部の特徴を備えた、グラウティング固定するための方法に関する。この場合、グラウティング固定とは、組積造に設けられた穿孔穴内での、たとえばモルタルによるアンカロッドのアンカ固定を意味している。
【０００２】
グラウティング固定アッセンブリによる固定は数年来知られている。アンカ固定ベース、たとえば多孔質建築材料から成る組積造に穿孔穴が形成される。この穿孔穴内には、たとえばドイツ連邦共和国特許出願第２０１０５０１３．７号に基づき公知であるようなアンカスリーブが挿入される。この公知のアンカスリーブは、スクリーン穴を備えた、たとえばプラスチックから成るスクリーンスリーブとして形成されている。組積造内への挿入後、モルタルがアンカスリーブ内にグラウティングされ、このアンカスリーブのスクリーン穴から流出する。次いで、アンカロッドがアンカスリーブ内に挿入される。このアンカロッドはモルタルを押し退けかつ圧縮し、モルタルの完全硬化後、組積造に設けられた孔内にアンカ固定されている。アンカロッドに固定対象物が被せ嵌められ、ナットと、場合により、対抗支承体として座金とによって位置固定される。
【０００３】
公知のアンカスリーブは、いわゆる「プリインサートマウンティング（予差込み組付け）」のためにしか適していないという欠点を有している。「プリインサートマウンティング」とは、組付け順序において、まず、アンカ固定点の位置がアンカ固定ベースにマーキングされることを意味している。これは、たとえば固定したい対象物の特定の孔パターンが組積造に転写されなければならないことを意味している。第２のステップでは、穿孔穴が形成され、その後、アンカがセットされ、最後に、固定したい対象物がアンカロッドにわたって案内され、ナットによって位置固定される。しかし、３つまたはそれ以上のアンカ固定点を備えた対象物の場合にはまさに、アンカ固定ベースへの転写に極めて手間がかかり得る。したがって、拡開力を介してアンカ固定するプラスチックプラグと金属アンカとの分野において、いわゆる「スルーインサートマウンティング（差通し組付け）」を可能にするプラグタイプが市場に確立された。この場合、固定したい対象物の穴が穿孔ステンシルとして使用される。なぜならば、後続の構成部材における穿孔穴直径が、少なくともアンカ固定ベースにおける穿孔穴直径と同じ大きさであるからである。対象物を再度アンカ固定ベースから取り外すことなしに、プラグを直接対象物を通してセットすることができ、拡開することができる。しかし、アンカスリーブによるグラウティング固定に対して、このように簡略化された組付け順序は従来不可能である。
【０００４】
２つのアンカ固定領域が設けられた、スルーインサートマウンティングのためのアンカスリーブしか知られていない。したがって、たとえばドイツ連邦共和国特許出願公開第１００３８８０１号明細書に基づき、化粧組積造を復元するためのアンカスリーブが公知である。この公知のアンカスリーブは、モルタルのための流出開口を備えた第１のアンカ固定領域を有している。この第１のアンカ固定領域によって、支持組積造内でのアンカロッドのアンカ固定が行われる。第１のアンカ固定領域には、アンカスリーブの挿入方向と逆方向に管片が続いている。この管片は、グラウティングされるモルタルのための接続通路を固定アッセンブリの第１のアンカ固定領域と第２のアンカ固定領域との間に提供するという役割しか有していない。化粧組積造内に位置する第２のアンカ固定領域は、アンカロッドとモルタルとによってしか形成されない。アンカスリーブの管片は僅かしか化粧組積造内に突入していないのに対して、アンカロッドはスリーブを越えて突出していて、モルタルによって取り囲まれている。しかし、アンカロッドもモルタルも、組付けが行われた後、化粧組積造を越えて突出していない。このことは、視覚的な理由から十分に所望されている。すなわち、化粧組積造が主として固定対象物であり得る限り、この固定対象物は、機械的に作用する対抗支承体としてのナットによって支持組積造に位置固定されず、第２の化学的な結合によって支持組積造に位置固定される。しかし、このような第２の化学的な結合は、モルタルとの安定した結合を可能にする相応に広幅の固定対象物を前提とする。これは、たとえば一般的にフランジを備えた、鋼から成る固定対象物の事例ではない。
【０００５】
したがって、本発明の課題は、固定したい対象物の位置固定が対抗支承体としてのナットによって行われるようなグラウティング固定時の組付け順序に対する簡略化が達成されるようにすることである。
【０００６】
この課題は、本発明によれば、請求項１の特徴を備えたグラウティング固定アッセンブリならびに請求項８の特徴を備えた方法によって解決される。本発明によるグラウティング固定アッセンブリはアンカスリーブを有している。このアンカスリーブのアンカ固定領域には、剪断力スリーブが続いている。このような形式のアンカスリーブは、グラウティング固定をナットによる対象物の位置固定によってスルーインサートマウンティングの方法で行うという可能性を提供する。剪断力スリーブの形成によって、アンカ固定ベースに設けられる穿孔穴と、固定したい対象物に設けられる穿孔穴とが同一の直径を有していることが可能となる。アンカ固定ベースに設けられる穿孔穴が、対象物の穿孔穴を通して穿孔されるようになっており、次いで、アンカスリーブが、対象物の取外しなしに、直接穿孔穴内に案内されるようになっている。次いで、アンカスリーブ内にモルタルがグラウティングされる。このモルタルは、アンカスリーブのスクリーン穴から部分的に流出する。アンカロッドがアンカスリーブ内に挿入され、これによって、少なくともアンカスリーブのアンカ固定領域でモルタルの完全硬化後にアンカ固定される。アンカロッドに固定対象物が被せ嵌められ、ナットと、場合により、対抗支承体として座金とによって位置固定される。アンカロッドが、この手段では、必然的に対象物の穿孔穴よりも小さな直径を有しているので、アンカロッドは、対象物とアンカ固定ベースとの間の剪断力の事例において、この移動を単に吸収することができない。しかし、このことは、本発明によれば、剪断力スリーブによって達成される。この剪断力スリーブは外径において、有利には、対象物の穿孔穴の直径に相当している。
【０００７】
さらに、グラウティング固定アッセンブリを、それぞれ異なる厚さの対象物に対して使用することができるようにするために、本発明は、アンカスリーブの剪断力スリーブが少なくとも１つの目標分離箇所を有していることを提案する。これによって、使用者には、剪断力スリーブが、場合により短縮されるように、アンカスリーブを組付けの枠内で対象物の厚さに相応に適合させることが可能となる。目標分離箇所として、適切な簡単な折取りまたはその他の分離を可能にする構造部、すなわち、特に全周にわたって延びる溝が解されたい。しかし、基本的には、パーフォレーションまたは材料組成の変更による局所的な弱化部も可能である。この場合、分離が目標分離箇所で工具使用の有無にかかわらず行われ、分離が破断であるか、１つの溝が、たとえば１回の切断の容易な実施のためにしか働かないかは重要ではない。むしろ、使用者が、剪断力スリーブの適切な定尺切断を達成することにおいて助成されることが重要である。
【０００８】
穿孔穴内への挿入後、この穿孔穴と反対の側の端部が対象物の外面と同一平面を成して終わるまで、アンカスリーブがアンカ固定ベースもしくは対象物に差し込むことが望ましい。モルタルのグラウティングまたはアンカロッドの挿入によって、この軸方向の位置が変化させられないことが望ましい。したがって、アンカスリーブが、有利には、挿入方向と逆方向の端部に当接つばを有している。剪断力スリーブの長さが、肉薄の対象物に適合される必要がない限り、アンカスリーブは、対象物に対する当接つばの載置まで、穿孔穴内に導入され、これによって、さらなる押込みに対して防護される。目標分離箇所があろうとなかろうと、剪断力スリーブの長さの適合の事例では、アンカスリーブが、有利には、半径方向内側に向かって旋回可能な少なくとも１つのストッパを有している。全周にわたって分配された複数のストッパをそれぞれ１つの目標分離箇所の領域に配置することが有利である。この場合、ストッパは、アンカ固定前の状態で半径方向に剪断力スリーブを越えて突出している。穿孔穴内へのアンカスリーブの導入時には、このアンカスリーブが、まず、軸方向でアンカ固定領域に最も近いストッパで載置する。アンカスリーブが予めアンカ固定深さに対して定尺切断された場合には、アンカスリーブがこの位置にとどまり、ストッパが、当接つばに対して前述したように、軸方向の位置固定のために働く。しかし、仮にアンカスリーブが決して定尺切断されていないかまたは別の箇所で定尺切断されているような場合には、ストッパが半径方向内側に向かって旋回させられ得る。このためには、ある程度の力が必要となる。これは、ストッパが剪断力スリーブに結合されており、これによって、ストッパは、確かに、旋回させられることなしに、モルタルのグラウティング時にまたはアンカロッドの挿入時に生ぜしめられる力を吸収することができるが、しかし、結合の安定性に基づき、幾分高い力の場合には、結合部がヒンジのように機能するようになっていることを意味している。半径方向内側に向かってとは、少なくとも剪断力スリーブからの半径方向の著しい突出がもはや付与されていない、すなわち、ストッパが、たとえば剪断力スリーブの外側輪郭と同一平面を成していることを意味している。本発明の思想を逸脱することなしに、ストッパは、旋回させられる代わりに、折り取られてもよいし、移動させられてもよい。ストッパがストッパとして作用することができるものの、この作用を解消することができることしか重要ではない。こうして、穿孔穴内へのアンカスリーブのさらなる導入時には、穿孔穴と反対の側の端部が１つのストッパまたは１つの当接つばで接触するまで、複数のストッパが乗る越えられ得る。
【０００９】
内側に向かって旋回可能なストッパに対して択一的には、アンカスリーブが、軸方向に調節可能な当接つばを有していてよい。この軸方向の調節可能性は、付加的な部材によって形成することができる。この部材は、たとえばねじ山または係止装置によって軸方向のそれぞれ異なる位置に走行可能であり、この位置で少なくとも容易に位置固定可能である。さらに、アンカスリーブ自体に軸方向のフレキシビリティを、たとえばベローズ状の区分の形成によって付与することも可能である。このことも、当接つばの軸方向への調節可能性を生ぜしめるようになっている。
【００１０】
固定したい対象物と、ベースとの間の剪断力の伝達は、剪断力スリーブに基づいてしか行われ得ない。特に高い力を伝達することができるようにするためには、アンカロッドと剪断力スリーブの内面との間の環状のギャップも充填するほど多くのモルタルがアンカスリーブ内にグラウティングされる。これによって、モルタルの完全硬化後、剪断力をこのモルタルシェルとアンカロッドとを介しても伝達することができる。しかし、このためには、まさにアンカロッド直径がより小さい場合に、部分的に著しいモルタル量が必要となる。したがって、さらに、本発明は、アンカロッドと剪断力スリーブとの間の領域に補償スリーブが挿入されることを提案する。この補償スリーブはプラスチックから製作されていてよいものの、亜鉛ダイカストまたはこれに類するものから製造されていてもよい。補償スリーブはモルタルの代わりにこの領域に使用され、これによって、グラウティング固定アッセンブリを有利にし、グラウティング過程を短縮する。補償スリーブは円形管状であってよく、すなわち、たとえば全周にわたってコンスタントな肉厚を備えていてよいものの、有利には、円形とは異なる形状であり、軸方向に延びる曲折箇所を有している。これによって、補償スリーブが、それぞれ異なるアンカスリーブ直径に適合可能となる。小さな直径の場合のアンカロッドでは、補償スリーブが、たとえばほぼ正方形の横断面をとっていて、これによって、アンカロッドを剪断力スリーブの内部でセンタリングするのに対して、より大きな直径を備えたアンカロッドの場合には、補償スリーブはほぼ円形の横断面に適合することができる。
【００１１】
以下に、本発明を、図面に示した実施例につき詳しく説明する。
【００１２】
図１に示したグラウティング固定アッセンブリ１は、ウェブ４を備えた、多孔質建築材料から成るアンカ固定ベース３に対象物２を固定するために使用される。便宜上、モルタルなしの完全に組み付けられた状態が図示してある。グラウティング固定アッセンブリ１は、アンカスリーブ５と、アンカロッド６と、対象物２に対する対抗支承体としてのナット７と、座金８とから成っている。アンカスリーブ５は、グラウティングされたモルタルのための流出開口１０を備えたアンカ固定領域９を有している。このアンカ固定領域９には、ほぼ閉鎖された剪断力スリーブ１１が続いている。この剪断力スリーブ１１の外径は、対象物２に設けられた孔１２の直径にほぼ相当している。剪断力スリーブ１１の領域では、２つの箇所に、それぞれ環列状に剪断力スリーブ１１の周面に沿って配置された舌片状のストッパ１３，１４が配置されている。このストッパ１３，１４は半径方向内側に向かって旋回可能である。この旋回可能性は、ストッパ１３，１４を剪断力スリーブ１１に結合する小さな横断面からしか得られない。この効果は、切込みまたはこれに類するものによって増幅させられてもよい。孔１２内に配置されたストッパ１３は、内側に向かって切欠き１９内に旋回させられているのに対して、ストッパ１４は実際にストッパとして働いている。
【００１３】
図２には、短縮されていない長さにおける組付け前のアンカスリーブ５が示してある。アンカ固定領域９には、ストッパ１３，１４，１５，１６，１７，１８の６つの環列と、１つの当接つば２０とを備えた剪断力スリーブ１１が続いている。ストッパ１３〜１８は、それぞれ切欠き１９内に旋回可能である。この切欠き１９は、図示の実施例では、剪断力スリーブ１１を完全に貫通しているものの、モルタルの万が一の流出を阻止するために、極めて肉薄の注型膜によって内側で閉鎖されていてもよい。ストッパ１３〜１８の各環列には、全周にわたって延びる溝の形の、全周にわたって延びる目標分離箇所２１，２２，２３，２４，２５，２６が対応配置されている。
【００１４】
以下に、組付け順序を図１および図２につき説明する。まず、対象物２（すでに存在していない限り）とアンカ固定ベース３とに、それぞれ１つの穿孔穴１２：２７が形成される。このことは、対象物２が所望の位置でアンカ固定ベース３に載着され、対象物２を貫いて穿孔穴１２：２７が形成されるように行うことができる。予めでも後にでもいいが、アンカスリーブ５がその長さにおいて対象物２の厚さに適合される、すなわち、図示の事例では、目標分離箇所２２で折ら取られる。次いで、アンカスリーブ５が、対象物２に設けられた穿孔穴１２を通して、アンカ固定ベース３に設けられた穿孔穴２７にまで差し込まれる。導入時には、まず、ストッパ１３が対象物２に当て付けられる。アンカスリーブ５に対する幾分強い押圧によって、ストッパ１３が半径方向内側に向かって旋回し、アンカスリーブ５が、ストッパ１４の当付けまで穿孔穴１２：２７内に押し込まれ得る。引き続き、モルタルがアンカスリーブ５のアンカ固定領域９内にグラウティングされる。アンカスリーブ５内へのアンカロッド６の導入によって、モルタルが押し退けられ、これによって、流出開口１０から流出するだけでなく、部分的に剪断力スリーブ１１内にも流入する。この場合、ストッパ１４は、アンカ固定ベース３内へのアンカスリーブ５のさらなる進入を阻止する。流出開口１０からの流出によって、モルタルが、完全硬化させられた状態で、その接着作用によってだけでなく、ウェブ４もしくはアンカロッド６のねじ山２８への背後からの係合によっても、アンカ固定ベース３もしくはアンカロッド６との極めて良好な結合を形成している。次いで、対象物２を位置固定するために、座金８がアンカロッド６に被せ嵌められ、ナット７がねじ山２８にねじ被せられ、締め付けられる。対象物２とアンカ固定ベース３との間に剪断力負荷が生ぜしめられるような場合には、この剪断力負荷は剪断力スリーブ１１によって吸収することができる。この可能性は、剪断力スリーブ１１とアンカロッド６との間の中間室２９が部分的にモルタルで充填されている場合に改善される。なぜならば、この場合、アンカロッド６が同じく剪断力の一部を伝達することができるからである。
【００１５】
図３には、アンカスリーブ５ａの１つの変化形が示してある。このアンカスリーブ５ａも同じく、流出開口１０ａを備えたアンカ固定領域９ａと、剪断力スリーブ１１ａとを有している。図１および図２に示したアンカスリーブ５と異なり、当接つば２０ａが軸方向に調節可能である。この当接つば２０ａは、雌ねじ山を備えた別個の部材として形成されている。この雌ねじ山は、剪断力スリーブ１１ａに設けられた雄ねじ山３０に相応している。グラウティング固定アッセンブリの組付けのためには、当接つば２０ａが回転によって対象物の厚さに適合され、その後、剪断力スリーブ１１ａの、当接つば２０を越えて突出した部分が切り取られる。次いで、アンカスリーブ５ａがやはり、対象物に設けられた穿孔穴を通して、アンカ固定ベースに設けられた穿孔穴にまで差し込まれる。
【００１６】
たとえば図３から明確となるように、アンカロッド６ａは、剪断力スリーブ１１ａの直径に比べて著しく縮径された外径を有している。アンカロッド６ａと、剪断力を伝達するための剪断力スリーブ１１ａの内面との間の領域を充填するためには、この領域が同じくモルタルで充填されてもよいし、図４に示した補償スリーブ３１が挿入されてもよい。この補償スリーブ３１は、その長さにわたってほぼコンスタントな横断面を有している。この場合、このことは、必ずしも必要ではない。すなわち、補償スリーブ３１が管状ではあるものの、全周にわたってコンスタントな肉厚を備えた円形ではなく、軸方向に延びる切欠きの形の曲折箇所３２を備えたほぼ正方形である。
【００１７】
アンカロッド直径が小さい場合には、補償スリーブ３１をこの形で剪断力スリーブ１１ａ内に挿入することができ、次いで、モルタルがグラウティングされ、アンカロッド６ａが挿入される。この場合、このステップは、これと異なる順序で行われてもよい。モルタルによって充填したい、アンカロッド６ａと剪断力スリーブ１１ａの内面との間の容積は、補償スリーブ３１の体積によって減少させられる。このことは、モルタルと、このモルタルのグラウティングのための時間とを節約する。さらに、補償スリーブ３１は、剪断力スリーブ１１ａの内部でのアンカロッド６ａのセンタリングの機能を有している。これによって、ベースへの均一な力導入ひいては高い保持値が生ぜしめられる。アンカロッド直径がより大きい場合には、補償スリーブ３１の横断面が、曲折箇所３２での変形に基づき、かなり円形に近づけられ得る。これによって、補償スリーブ３１が、より大きなアンカロッド直径のためにも適していて、さらに、環状ギャップ容積の充填の機能と、剪断力スリーブ１１ａの内部でのアンカロッド６ａのセンタリングの機能とを果たしている。
【図面の簡単な説明】
【００１８】
【図１】定尺切断されたアンカスリーブを備えた、完全に組み付けられた状態におけるグラウティング固定アッセンブリの断面図である。
【図２】組付け前の状態における同一のグラウティング固定アッセンブリのアンカスリーブの斜視図である。
【図３】組付け前の状態におけるアンカロッドと択一的なアンカスリーブとの斜視図である。
【図４】補償スリーブを示す図である。
【符号の説明】
【００１９】
１  グラウティング固定アッセンブリ、  ２  対象物、  ３  アンカ固定ベース、  ４  ウェブ、  ５，５ａ  アンカスリーブ、  ６，６ａ  アンカロッド、  ７  ナット、  ８  座金、  ９，９ａ  アンカ固定領域、  １０，１０ａ  流出開口、  １１，１１ａ  剪断力スリーブ、  １２  穿孔穴、  １３，１４，１５，１６，１７，１８  ストッパ、  １９  切欠き、  ２０，２０ａ  当接つば、  ２１，２２，２３，２４，２５，２６  目標分離箇所、  ２７  穿孔穴、  ２８  ねじ山、  ２９  中間室、  ３０  雄ねじ山、  ３１  補償スリーブ、  ３２  曲折箇所
【図１】
2008502824.tif 000003
【図２】
2008502824.tif 000004
【図３】
2008502824.tif 000005
【図４】
2008502824.tif 000006
【国際調査報告】
2008502824.tif 000007
2008502824.tif 000008
2008502824.tif 000009
2008502824.tif 000010